(57)【特許請求の範囲】
【請求項１】
通気性および可撓性を有する濾材で形成された略四角形の袋状体と、前記袋状体に設けられた吸入口と、前記吸入口に取り付けられ塵埃吸込口を有する支持板を備え、前記袋状体は外周を貼付密閉した後、４辺のうち少なくとも１辺の辺が、この辺の両側頂点を折り込まないようにして谷折り部となるように、この辺の両側に山折り部を設けて内側に折り折り込んだことを特徴とする電気掃除機用集塵フィルター。
【請求項２】
通気性および可撓性を有する濾材で形成された略四角形の袋状体と、前記袋状体に設けられた吸入口と、前記吸入口に取り付けられ塵埃吸込口を有する支持板を備え、前記袋状体は外周を貼付密閉した後、４辺のうち少なくとも１辺を辺が谷折り部となるように濾材に山折り部を設けて内側に折り込むとともに、折り込んだ辺の両側頂点近傍は、前記袋状体の折り込み後の最外形部である山折り部近傍に配置されるように折り返したことを特徴とする電気掃除機用集塵フィルター。
【請求項３】
通気性および可撓性を有する略四角形の濾材を２組対向させた状態で、略四角形の四辺のうち、少なくとも３箇所を超音波溶着することで形成した袋状体と、前記袋状体に設けられた吸入口と、前記吸入口に取り付けられ塵埃吸込口を有する支持板を備え、前記袋状体の４辺のうち少なくとも１辺を辺が谷折り部となるように濾材に山折り部を設けて内側に折り込むとともに、折り込んだ辺の両側頂点近傍は、前記袋状体の折り込み後の最外形部である山折り部近傍に配置されるように折り返したことを特徴とする電気掃除機用集塵フィルター。
【請求項４】
略四角形の少なくとも１ケ所の頂点をＣ面カットしたことを特徴とする請求項１に記載の電気掃除機用集塵フィルター。
【請求項５】
濾材を通気性および可撓性を有する樹脂不織布で形成した請求項１〜４のいずれか１項に記載の電気掃除機用集塵フィルター。
【請求項６】
請求項１〜５に記載された電気掃除機用集塵フィルターを収納する集塵室を備えた電気掃除機。
【発明の詳細な説明】
【技術分野】
【０００１】
本発明は、電気掃除機用集塵フィルター、およびそれを用いた電気掃除機に関するものである。
【背景技術】
【０００２】
従来の電気掃除機用集塵フィルターは、濾材の両端縁が貼りあわされ、側面に複数段のガゼット折り目が形成されるように筒状に折りたたまれ、この筒状の両端開口が折り返されて貼着密封されている（例えば、特許文献１参照）。
【特許文献１】特許第３２７４０１０号公報
【発明の開示】
【発明が解決しようとする課題】
【０００３】
しかしながら、上記構成では、ガゼット折り目の両端開口が折り返され接着されているため、掃除機本体に装着した状態で、電動送風機の吸引により紙袋が広がる際に、中央は十分広がるが、両端部はガゼット折り目が十分に広がらないという課題があった。
【０００４】
本発明は上記課題を解決するもので、電気掃除機用集塵フィルターおよびそれを用いた電気掃除機を提供することにを目的とする。
【課題を解決するための手段】
【０００５】
上記従来の課題を解決するために本発明は、
通気性および可撓性を有する濾材で形成された略四角形の袋状体と、前記袋状体に設けられた吸入口と、前記吸入口に取り付けられ塵埃吸込口を有する支持板を備え、前記袋状体は外周を貼付密閉した後、４辺のうち少なくとも１辺の辺が、この辺の両側頂点を折り込まないようにして谷折り部となるように、この辺の両側に山折り部を設けて内側に折り折り込んだことを特徴とする電気掃除機用集塵フィルターを設けたもので、巻き込み接着部がないため、従来のように端部の広がりを規制するものがなく、中央部と同様に十分広がるため、集塵容量も大きくなり、風量低下も良化する。また、頂点は折り込まれていないため、容易に広がり、さらに、集塵容量拡大、風量低下を良化することができ、使い勝手のよい電気掃除機用集塵フィルターおよびそれを用いた電気掃除機を提供することができる。
【発明の効果】
【０００６】
本発明によれば、袋が十分に広がり、集塵容量も大きくなり、風量低下も良化する使い勝手のよい電気掃除機用集塵フィルターおよびそれを用いた電気掃除機を提供できる。
【発明を実施するための最良の形態】
【０００７】
第１の発明は、通気性および可撓性を有する濾材で形成された略四角形の袋状体と、前記袋状体に設けられた吸入口と、前記吸入口に取り付けられ塵埃吸込口を有する支持板を備え、前記袋状体は外周を貼付密閉した後、４辺のうち少なくとも１辺の辺が、この辺の両側頂点を折り込まないようにして谷折り部となるように、この辺の両側に山折り部を設けて内側に折り折り込んだことを特徴とする電気掃除機用集塵フィルターを設けたもので、巻き込み接着部がないため、従来のように端部の広がりを規制するものがなく、中央部と同様に十分広がるため、集塵容量も大きくなり、風量低下も良化する。また、頂点は折り込まれていないため、容易に広がり、さらに、集塵容量拡大、風量低下を良化することができ、使い勝手をよくすることができる。
【０００８】
第２の発明は、通気性および可撓性を有する濾材で形成された略四角形の袋状体と、前記袋状体に設けられた吸入口と、前記吸入口に取り付けられ塵埃吸込口を有する支持板を備え、前記袋状体は外周を貼付密閉した後、４辺のうち少なくとも１辺を辺が谷折り部となるように濾材に山折り部を設けて内側に折り込むとともに、折り込んだ辺の両側頂点近傍は、前記袋状体の折り込み後の最外形部である山折り部近傍に配置されるように折り返したことを特徴とする電気掃除機用集塵フィルターとしたので、巻き込み接着部がないため、従来のように端部の広がりを規制するものがなく、中央部と同様に十分広がるため、集塵容量も大きくなり、風量低下も良化する。また、頂点は折り込まれていないため、容易に広がり、さらに、集塵容量拡大、風量低下を良化することができる。
【０００９】
第３の発明は、通気性および可撓性を有する略四角形の濾材を２組対向させた状態で、略四角形の四辺のうち、少なくとも３箇所を超音波溶着することで形成した袋状体と、前記袋状体に設けられた吸入口と、前記吸入口に取り付けられ塵埃吸込口を有する支持板を備え、前記袋状体の４辺のうち少なくとも１辺を辺が谷折り部となるように濾材に山折り部を設けて内側に折り込むとともに、折り込んだ辺の両側頂点近傍は、前記袋状体の折り込み後の最外形部である山折り部近傍に配置されるように折り返したことを特徴とする電気掃除機用集塵フィルターとしたので、巻き込み接着部がないため、従来のように端部の広がりを規制するものがなく、中央部と同様に十分広がるため、集塵容量も大きくなり、風量低下も良化する。また、頂点は折り込まれていないため、容易に広がり、さらに、集塵容量拡大、風量低下を良化することができる。
【００１０】
第４の発明は、第１の発明の電気掃除機用集塵フィルターの略四角形の少なくとも１ケ所の頂点をＣ面カットしたことを特徴とするもので、頂点部の広がりが改善されることと、折込作業がさらに容易に行える。
【００１１】
第５の発明は、第１〜４の発明の濾材を通気性および可撓性を有する樹脂不織布で形成したもので、不織布が従来の紙と比較して、やわらかく、広がりやすいため、さらに広がり性が改善できる。
【００１２】
第６の発明は、第１〜５の発明の電気掃除機用集塵フィルターを収納する集塵室を備えた電気掃除機としたもので、本発明の集塵フィルターを用いることにより、容易に掃除機の集塵容積や風量低下を良化できる。
【００１３】
以下、本発明の実施の形態について、図面を参照しながら説明する。なお、この実施の形態によりこの発明が限定されるものではない。
【００１４】
（実施の形態１）
本発明の第１の実施の形態について、図１〜図５を用いて説明する。
【００１５】
図１は第１の実施の形態における電気掃除機用集塵フィルターの展開正面図、図２は同集塵フィルターの折りたたみ図、図３は図２のＡ−Ａ’断面図、図４は同集塵フィルターの詳細断面図、図５は同集塵フィルターを用いた電気掃除機の斜視図を示す。図１〜図５において、本体１は、吸引風を発生させる電動送風機（図示せず）と、電動送風機の吸引風の上流側には集塵フィルター３を収納するバスケット体４とバスケット体４を収納するための集塵室５と、集塵室の蓋１４を設けている。バスケット体４には、バスケット体４を取り出すための把手部６を備えていた。
【００１６】
次に集塵フィルターの詳細について説明する。
【００１７】
集塵フィルター３は、通気性および可撓性を有する樹脂不織布を３層重ねた略四角形の濾材を、２枚対向させ、濾材の外周４辺から成る超音波溶着部７を超音波溶着することで貼付密閉し、袋状に形成した袋状体８と、袋状体８に設けられた吸入口９と、吸入口９に取り付けられ塵埃吸込口を有する支持板１０を備えている。３層の樹脂不織布は、外側をポリプレピレンのスパンボンディング３ａによる目付け４２±２ｇ／ｍ2、厚み０．２４±０．４ｍｍの不織布とし、真ん中の樹脂不織布は、ポリプロピレンのメルトブロー３ｂによる目付け４０±４ｇ／ｍ2、厚み０．２±０．０２ｍｍの不織布とし、内側の樹脂不織布は、ポリプレピレンのヒートボンディング３ｃによる目付け５０±５ｇ／ｍ2、厚み１．５±０．５ｍｍの不織布としている。袋状体８は、上下の超音波溶着部７を吸入口９に向かって折り込む谷折り部１１を設けるが、４辺の超音波溶着部７の各頂点１２部分は、折り込んだ状態の最外形部である山折り部１３近傍に配置されるように、さらに折り曲げられている。
【００１８】
以上のように構成された電気掃除機について、以下その動作、作用を説明する。
【００１９】
掃除機本体１を運転すると電動送風機が回転し、その吸引風により塵埃が吸込口９を通り集塵フィルター３へと捕集される。
【００２０】
繰り返し掃除を行い、集塵フィルター３が塵埃で一杯になり集塵フィルター３の廃棄を行う際、把手部６を手で持ち集塵フィルター３を掃除機本体１より引き出した後、そのまま集塵フィルター３の廃棄を行うことができる。
【００２１】
本実施の形態の集塵フィルターによると、巻き込み接着部がないため、従来のように端部の広がりを規制するものがなく、中央部と同様に十分広がるため、集塵容量も大きくなり、風量低下も良化する。また、頂点１２は折り込まれていないため、容易に広がり、さらに、集塵容量拡大、風量低下を良化することができる。
【００２２】
なお、頂点１２も超音波溶着部７と同様に折り込まれていた場合でも、巻き込み接着部がないため、従来よりは端部は広がりやすい。樹脂不織布は、内側が一番厚みがあり、密度が小さい粗い不織布とすることで、粗ゴミを捕集するとともに、小さな塵埃も立体集塵して、流路を確保し、風量低下を防いでいる。真中の樹脂不織布は、一番厚みが薄く、密度が大きい不織布、細塵を捕集している。この不織布は、微細な繊維径の繊維をからませることで、流路を多数確保しているため、細塵による目詰まりが起こりにくい構成となっている。
【００２３】
バスケット体４には、複数の開口部を設けて、流路を確保しており、前記不織布濾材の流路確保構成と合わせて、さらに風量低下を改善できる。
【００２４】
なお、本実施例では、略四角形の濾材を２枚対向させて、４辺を超音波溶着しているが、１枚の濾材を折り曲げることで、対向させ、３辺を超音波溶着することで外周を貼付密閉して袋状体にすれば、さらに工数が削減できる利点もある。また、貼付密閉するためには、熱溶着、高周波溶着など他の手段でも、同様の効果が得られる。
【００２５】
（実施の形態２）
本発明の第２の実施の形態について、図６、図７を用いて説明する。
【００２６】
図６は第２の実施の形態における電気掃除機用集塵フィルターの展開正面図、図７は同集塵フィルターの折りたたみ図である。
【００２７】
図６において、集塵フィルター３’は、通気性および可撓性を有する樹脂不織布を３層重ねた略四角形の４頂点にＣ面を有する濾材を２枚対向させ、濾材の外周の超音波溶着部７を超音波溶着することで貼付密閉し、袋状に形成した袋状体８’と、袋状体８’に設けられた吸入口９と、吸入口９に取り付けられ塵埃吸込口を有する支持板１０を備えている。そして、図７に示すように、袋状体８’は、上下の超音波溶着部７を吸入口９に向かって折り込む谷折り部１１’を設けている。
【００２８】
以上のように構成することで、Ｃ面が無い場合に比べて図７に示すイ部に空間が出来る為、吸引風が袋状体の隅の方まで通過しやすくなり、広がり性も改善できる。さらに、Ｃ面カットにより、奥まで織り込む必要が無くなり、折りこみの作業性も改善される。
【産業上の利用可能性】
【００２９】
以上のように、本発明にかかる電気掃除機用集塵フィルターおよびそれを用いた電気掃除機は、袋が十分に広がり、集塵容量も大きくなり、風量低下も良化する使い勝手を向上できるため、家庭、業務用等の電気掃除機に特に有用である。
【図面の簡単な説明】
【００３０】
【図１】本発明の実施の形態１を示す電気掃除機用集塵フィルターの展開正面図
【図２】同集塵フィルターの折りたたみ図
【図３】図２のＡ−Ａ’断面図
【図４】同集塵フィルターの詳細断面図
【図５】同集塵フィルターを用いた電気掃除機の斜視図
【図６】本発明の実施の形態２を示す電気掃除機用集塵フィルターの展開正面図
【図７】同集塵フィルターの折りたたみ図
【符号の説明】
【００３１】
３、３’  集塵フィルター
７    超音波溶着部
８、８’  袋状体
９    吸入口
１０  支持板
１１、１１’  谷折り部
１２  頂点
１３  山折り部
【図１】
0004742961.tif 000002
【図２】
0004742961.tif 000003
【図３】
0004742961.tif 000004
【図４】
0004742961.tif 000005
【図５】
0004742961.tif 000006
【図６】
0004742961.tif 000007
【図７】
0004742961.tif 000008